(57)【要約】      （修正有）【課題】美観を損ねることなく、かつ低コストで容易に香木や練香を楽しむことができる香炉を提供する。【解決手段】香材２００が香皿部１１０に載置され、香皿部１１０の下側に載置されて香皿部１１０に熱を与える燃焼発熱手段３００と、香皿部１１０との距離を、香材２００が発火することなく放香でき温度が燃焼発熱手段３００から伝わる距離である放香距離で香皿支持部１２０が香皿部１１０を支持する。【選択図】図１
0003229161.tif 000002
【実用新案登録請求の範囲】
【請求項１】
練香または香木である香材を加熱して放香させる香炉において、
前記香材が載置される香皿部と、
前記香皿部の下側に載置されて前記香皿部に熱を与える燃焼発熱手段と、前記香皿部との距離を、前記香材が発火することなく放香でき温度が前記燃焼発熱手段から伝わる距離である放香距離で前記香皿部を支持する香皿支持部と、
を備えることを特徴とする香炉。
【請求項２】
前記燃焼発熱手段は、
着火されたロウソクであること、
を特徴とする請求項１記載の香炉。
【請求項３】
前記香皿部および前記香皿支持部の材質は鉄であって、
前記放香距離は、
前記ロウソクの炎の先端から、前記香皿部の底部との距離が、７センチメートルであること、
を特徴とする請求項２記載の香炉。
【請求項４】
前記ロウソクが燃えて短くなった距離だけ、前記ロウソクを上昇させるロウソク上昇手段、
を備えることを特徴とする請求項２記載の香炉。
【請求項５】
前記香皿部は、
上側が開口された半球体であること、
を特徴とする請求項１記載の香炉。
【請求項６】
前記香皿部は、
前記香材を前記香皿部の底部に固定するための香材固定手段、
を備えることを特徴とする請求項５記載の香炉。
【請求項７】
前記香材固定手段は、
前記香皿部の底部から放射状に設けられた突起体であること、
を特徴とする請求項６記載の香炉。
【請求項８】
前記香皿支持部は、
前記香皿部の高さを自在に調節できる柔軟性と、前記香皿部を一定の高さに保つことができる剛性を備えた針金で形成されること、
を特徴とする請求項１記載の香炉。
【考案の詳細な説明】
【技術分野】
【０００１】
本考案は、香炉に関し、特に練香または香木である香材を加熱して放香させる香炉に関する。
【背景技術】
【０００２】
従来から、白檀、丁香などのように樹木の皮、葉、根などの粉末を棒状、渦巻状、または円錐状に形成されたものに直接火を付けた後に炎を消し、香りをゆるがせるお香が一般に知られている。
【０００３】
また一般に多く知られていないが、火を付けないお香もある。たとえば香木や練香と呼ばれるお香である。香木や練香は、これらに直接火をつけるのではなく、たとえば香木や粉末状にした香木を練って丸めた練香を炭火の近くに置いて香りを楽しむものである。炭火の近くに置かれた香木や練香は、その炭火の熱によって温められることで香りがでる。
【０００４】
一般的に知られていない理由としては、奈良時代や平安時代などの昔から、お香は貴族たちが生活を楽しむために愛用された風習だからである。その中でも、特に香木や練香は、香道家や茶道家の間で愛用され、お茶を沸かすために使用される炭火を利用して、香木や練香を温めて香りを楽しんでいた。つまり、限られた貴族たちの中で愛用されたお香の中で、特に炭火を利用する香木や練香は、さらに限られた香道家や茶道家の間でしか知られていなかったのである。
【０００５】
また、一般的に知られていない他の理由としては、香木や練香は、炭火を利用しなくてはならないことである。香木や練香は、まず炭に火を付けなくてはならない。近年では、火災や一酸化炭素中毒などの危険性から、炭火をいれる火鉢を持つ家は少ない。つまり、容易に香木や練香を楽しむことはできないのである。
【０００６】
また、炭に火をつけるためには、多くの時間が必要となる。日常的に炭火を取り扱わない現代人にとっては、炭に火をつけることは、非常に困難であり、さらに多くの時間が必要となる。すなわち、香木や練香を楽しむためには、非常に多くの時間が必要であって、やはり容易に香木や練香を楽しむことはできないのである。このため一般に知られる機会が少ない。
【０００７】
さらに、香木や練香を楽しむには、炭火を入れる火鉢を準備し、多くの時間をかけて炭に火をつけ、香木や練香を楽しんだ後には、炭が燃えることによって生じる灰などを片付ける作業が生じるため、非常に手間がかかる。このように、香木や練香は気軽に楽しめるものではなかった。
【０００８】
そこで、この香木や練香を温める行為を、炭火や火鉢を用意することなく簡単にでき、香木や練香を容易に楽しむことができる香炉が提案されている（たとえば、特許文献１参照）。
【０００９】
具体的に特許文献１で開示された香炉は、着火機構部の着火スイッチに連結する係合子と、香炉本体内に形成されたカム溝とを有し、カム溝は係合子がガス着火無作動状態時に位置する第１係合部、係合子がガス着火状態時に位置する着火位置部、係合子がガス連続燃焼状態時に位置する第２係合部とを備え、係合子はカム溝内に形成された第１係合部、着火位置部、第２係合部をこの順序にて移動可能とし、移動の逆行を阻止する阻止手段をカム溝内に配置し、炎の着火、連続燃焼、消火を順次行い得るようにしている。
【００１０】
特許文献１で開示された香炉では、カム溝を本体に配することにより、着火後指を離してもガスの燃焼が維持され、香木や抹香に火が着火するまでスイッチを押し続ける必要がない。このため、炭火や火鉢を用意することなく簡単にでき、香木や練香を容易に楽しむことができる。
【先行技術文献】
【特許文献】
【００１１】
【特許文献１】実開平７−２２２５４合公報
【考案の概要】
【考案が解決しようとする課題】
【００１２】
しかし、特許文献１で開示された香炉は、着火スイッチが香炉本体に設けられているため、香炉自体の美観を損ねる問題がある。また、香道家や茶道家が香を焚く環境に、スイッチが設けられた香炉はなじまない問題がある。
【００１３】
さらに、特許文献１で開示された香炉は、電気や燃料であるガスなどを制御するための部品点数が多く、組み立てに時間がかかる。このため、香炉が高額にならざるを得ない問題がある。
【００１４】
本考案はこのような点に鑑みてなされたものであり、美観を損ねることなく、かつ低コストで容易に香木や練香を楽しむことができる香炉を提供することを目的とする。
【課題を解決するための手段】
【００１５】
本考案では上記問題を解決するために、練香または香木である香材を加熱して放香させる香炉において、前記香材が載置される香皿部と、前記香皿部の下側に載置されて前記香皿部に熱を与える燃焼発熱手段と、前記香皿部との距離を、前記香材が発火することなく放香でき温度が前記燃焼発熱手段から伝わる距離である放香距離で前記香皿部を支持する香皿支持部とを備えることを特徴とする香炉が提供される。
【００１６】
これにより、香材が香皿部に載置され、香皿部の下側に載置されて香皿部に熱を与える燃焼発熱手段と、香皿部との距離を、香材が発火することなく放香でき温度が燃焼発熱手段から伝わる距離である放香距離で香皿支持部が香皿部を支持する。
【考案の効果】
【００１７】
本考案の香炉によれば、香材が香皿部に載置され、香皿部の下側に載置されて香皿部に熱を与える燃焼発熱手段と、香皿部との距離を、香材が発火することなく放香でき温度が燃焼発熱手段から伝わる距離である放香距離で香皿支持部が香皿部を支持するので、電源が不要で、かつ容易に香木や練香を楽しむことができる。
【図面の簡単な説明】
【００１８】
【図１】第１の実施の形態に係る香炉全体を示す斜視図である。
【図２】第１の実施の形態に係る香皿部の詳細を示す斜視図である。
【図３】第２の実施の形態に係る香炉全体を示す斜視図である。
【考案を実施するための形態】
【００１９】
以下、本考案の実施の形態を、図面を参照して詳細に説明する。
〔第１の実施の形態〕
図１は、第１の実施の形態に係る香炉全体を示す斜視図である。
図１に示すように香炉１００は、香皿部１１０、および香皿支持部１２０を備えている。
【００２０】
香皿部１１０は、香木や練香などの香材２００を載置するためのものであって、アルミニウム、ステンレス、銅、あるいは磁器などのセラミックなどの熱伝導率が高い材質を碗状に形成したものである。なお、ここでいう香材２００とは、直接香材２００に火をつけるのではなく、外部から熱を加えることによって放香されるものである。
【００２１】
香皿部１１０は、碗状、つまり半球面状に形成することで、香皿部１１０に伝わった熱による放射熱によって、香皿部１１０の内側にのせられた香材２００を均等に、かつ効率よく温めることができる。
【００２２】
香材２００は、碗状に形成された香皿部１１０の上面内側に載置され、香皿部１１０の下側に配置された燃焼発熱手段３００が発した熱によって温められる。この燃焼発熱手段３００に温められることで、香材２００は放香することができる。
【００２３】
燃焼発熱手段３００は、ここでは蝋を固形燃料として燃焼させるロウソクを例として説明するが、燃料を燃焼させることで香材２００に熱を与えられるものであればアルコールランプやガスバーナーなどの他の燃焼発熱材を用いることもできる。
【００２４】
香皿支持部１２０は、香皿部１１０を所定の高さに支持するためのものであって、アルミニウム、ステンレス、銅、あるいは磁器などのセラミックなど、香皿部１１０と同じ材質で形成される。また香皿部１１０と異なる材質で形成することもできる。
【００２５】
香皿支持部１２０によって支持される香皿部１１０の高さは、燃焼発熱手段３００が発した熱によって香材２００が放香に必要な熱量を与えられる高さであり、かつ、燃焼発熱手段３００が発した熱によって香材２００が発火しない高さである。
【００２６】
具体的には、香皿部１１０は熱伝導率が高い鉄などの金属で形成され、香皿支持部１２０も同じ鉄製の針金で形成される。香皿支持部１２０は、床、テーブルなどの安定した平面に載置できるように、針金が円状に形成された平底部１２１と、平底部１２１と香皿部１１０とを繋ぐように螺旋状に針金が曲げられた支持部１２２と、を備えている。
【００２７】
香皿支持部１２０を構成する螺旋状に針金が曲げられた支持部１２２の内側には、燃焼発熱手段３００であるロウソクが平底部１２１と同じ平面に載置される。また、螺旋状に針金が曲げられた支持部１２２は、燃焼発熱手段３００であるロウソクの火があたらない円周で螺旋状に折り曲げられる。
【００２８】
また支持部１２２の上端には、香皿部１１０が固定されており、香皿部１１０の半球面の底部が、燃焼発熱手段３００であるロウソクの火の先端と同軸上になる位置に設けられている。
【００２９】
さらに、香皿部１１０は、香皿支持部１２０によって、燃焼発熱手段３００であるロウソクの火が発した熱によって香材２００が放香に必要な熱量を与えられる高さ、かつ燃焼発熱手段３００であるロウソクの火が発した熱によって香材２００が発火しない高さに調節される。
【００３０】
なお、本実施の形態の香炉１００は、香皿部１１０の位置を自在の調節できる柔軟性と、香皿部１１０を一定の高さに保つことができる剛性を備えた金属の針金で形成することで、針金の曲げを調節することで自在に香皿支持部１２０の位置を調節することができる。
【００３１】
本実施の形態のように、香皿部１１０および香皿支持部１２０が鉄で形成されている場合においては、燃焼発熱手段３００であるロウソクの火の先端と、香皿部１１０の底部との距離が７センチメートル程度になることが好ましい。
【００３２】
香皿部１１０の底部との距離が７センチメートルより離れてしまうと、燃焼発熱手段３００であるロウソクの火による香皿部１１０に与える熱量が少なくなり、香材２００の放香に必要な熱量が与えられなくなる。このため香材２００の放香量が低下してしまう恐れがある。
【００３３】
また香皿部１１０の底部との距離を７センチメートルより短くしてしまうと、燃焼発熱手段３００であるロウソクの火による香皿部１１０に与える熱量が多くなり、香材２００が発火してしまう恐れがある。
【００３４】
このため、香皿部１１０および香皿支持部１２０が鉄で形成されている場合においては、燃焼発熱手段３００であるロウソクの火の先端と、香皿部１１０の底部との距離を７センチメートルすることで、香材２００が発火することなく、最適な熱量で放香させることができる。
【００３５】
この他、香皿部１１０および香皿支持部１２０の材質によって、熱度伝導率が異なるため、燃焼発熱手段３００であるロウソクの火の先端と、香皿部１１０の底部との距離は、適宜調節することができる。
【００３６】
また、燃焼発熱手段３００であるロウソクは、着火開始から時間の経過に伴ってロウソクの長さが短くなっていく。これにより、ロウソクの火の先端と、香皿部１１０の底部との距離も時間の経過に伴って長くなってしまう。
【００３７】
そこで、ロウソクを載置する台座を設け、ロウソクが短くなるに伴って台座を上昇させることで、燃焼発熱手段３００であるロウソク火の先端と、香皿部１１０の底部との距離を一定に保つ図示しない距離保持手段を備えることができる。
【００３８】
距離保持手段の例としては、ロウソクを載置する台座の下側に弾性を備えたバネ材を垂直方向に備える例が挙げられる。
具体的には、バネ材を下側に備えた台座の上側に着火前のロウソクを載置する。この状態でロウソク火の先端と、香皿部１１０の底部との距離が７センチメートルになるように設定しロウソクに着火する。
【００３９】
ロウソクに着火すると、ロウソクは時間に伴って短くなって重量は軽くなる。ロウソクの重さが軽くなることで、台座の下側に設けられたバネが伸長する。このときバネの巻数などで弾性力を調整し、ロウソクの長さが短くなった距離だけバネが伸長するように調整する。これにより、ロウソク火の先端と、香皿部１１０の底部との距離は一定の７センチメートルを保持することができる。
【００４０】
上記のように、本実施の形態の香炉１００では、香材２００を温めるための燃焼発熱手段３００がロウソクであるため、非常に簡単に香材２００を温めることができる。また、電源不要で香材２００を温めることができるので、場所を選ばずに香木や練香を楽しむことができる。
【００４１】
なお、本実施の形態の香炉１００では、鉄を材質とした半球面状の香皿部１１０を、針金を螺旋状に形成した香皿支持部１２０で支持する例で説明したが、燃焼発熱手段３００であるロウソクの火が発した熱によって香材２００が放香に必要な熱量を与えられる高さ、かつ燃焼発熱手段３００であるロウソクの火が発した熱によって香材２００が発火しない高さであれば、他の形状の香皿部１１０を他の形状の香皿支持部１２０で支持し、香材２００を温めるようにすることもできる。
【００４２】
具体的には、香皿部１１０を矩形の箱状に形成することもできるし、多角形や楕円形で形成することもできる。また、香皿部１１０は、複数の支持部１２２で支持することもできる。たとえば、放射状に配置された複数の支持部１２２で香皿部１１０を支持することができる。
【００４３】
また、香皿部１１０および香皿支持部１２０を構成する材質も適宜選択することができる。たとえば、アルミニウム、ステンレス、銅、あるいは磁器などのセラミックなど、加熱する香材２００の放香に必要な熱量や、香炉１００の形状に応じて様々な材質の中から任意に選択することができる。
【００４４】
また、本実施の形態の香炉１００では、鉄を材質とした半球面状の香皿部１１０と、針金を螺旋状に形成した香皿支持部１２０を例にしたため、燃焼発熱手段３００であるロウソクの火が発した熱によって香材２００が放香に必要な熱量を与えられる高さ、かつ燃焼発熱手段３００であるロウソクの火が発した熱によって香材２００が発火しない高さを７センチメートルが好ましいとして説明したが、香皿部１１０および香皿支持部１２０の材質または形状によっては、燃焼発熱手段３００であるロウソクの火の先端と、香皿部１１０の底部との距離を適宜選択することができる。
【００４５】
図２は、第１の実施の形態に係る香皿部の詳細を示す斜視図である。
図２に示すように香炉１００は、半球面状の碗状部１１１、および香材２００を碗状部１１１の底部に固定するための香材固定手段１１２を備えている。
【００４６】
碗状部１１１は、内側に香材２００を載置するために、半球面状に形成されている。これにより、碗状部１１１に伝わった熱による放射熱によって、碗状部１１１の内側にのせられた香材２００を均等に、かつ効率よく温めることができる。
【００４７】
香材固定手段１１２は、香材２００を碗状部１１１の底部に固定するためのものである。碗状部１１１の底部は、あらかじめロウソクの火の先端と、香皿部１１０の底部との距離が、最適な熱量で香材２００が放香する距離に調節されている。このため、香材２００は碗状部１１１の底部に固定されることが好ましい。
【００４８】
通常、練香は粉末状の香木等を練って丸く形成したものであり、この練香を半球面状に形成された碗状部１１１の内側に入れることで、自然と香皿部１１０の底部に練香は移動する。
【００４９】
ところが、練香が真円ではなく、いびつな形状だった場合、香皿部１１０の底部で正確に固定されるとは限らない。このとき、香材固定手段１１２を香皿部１１０に設けることとで、香材２００を碗状部１１１の底部、つまり最適な熱量で放香できる位置に香材２００を固定することができる。
【００５０】
香材固定手段１１２は、たとえば図２に示すように、香皿部１１０の底部から放射状に設けられた複数の突起体である。この放射状に設けられた突起帯の中央部に、香材２００を載置することで、香材２００は碗状部１１１の底部に固定される。これにより、香材２００は、最適な熱量で放香することができる。
【００５１】
香材固定手段１１２は、放射状に設けられた複数の突起体に限られるものではなく、他の形状であってもよい。たとえば、ドーナツ状の突起体を香皿部１１０の底部に設け、そのドーナツ状の突起体中央部に香材２００を載置することもできる。
【００５２】
〔第２の実施の形態〕
次に、本考案の第２の実施の形態について説明する。本実施の形態の香炉は、香皿支持部の形状が異なる以外は、第１の実施の形態で示した構成とほぼ同様である。このため、上記第１の実施の形態とほぼ同様の構成部分については同一の符号を付すなどして適宜その説明を省略する。
【００５３】
図３は、第２の実施の形態に係る香炉全体を示す斜視図である。
図３に示すように香炉１００は、香皿部１１０、および香皿支持部１２０を備えている。
【００５４】
香皿支持部１２０は、香皿部１１０を所定の高さに支持するためのものであって、アルミニウム、ステンレス、銅、あるいは磁器などのセラミックなど、香皿部１１０と同じ材質で形成される。また香皿部１１０と異なる材質で形成することもできる。
【００５５】
香皿支持部１２０によって支持される香皿部１１０の高さは、燃焼発熱手段３００が発した熱によって香材２００が放香に必要な熱量を与えられる高さであり、かつ、燃焼発熱手段３００が発した熱によって香材２００が発火しない高さである。
【００５６】
具体的には、香皿部１１０は熱伝導率が高い鉄で形成され、香皿支持部１２０も同じ鉄製の針金で形成される。香皿支持部１２０は、床、テーブルなどの安定した平面に載置できるように、針金が円状に形成された平底部１２１と、平底部１２１と香皿部１１０とを繋ぐように、たとえば楕円弧状に針金が曲げられた支持部１２２と、を備えている。
【００５７】
第２の実施の形態に係る香炉１００の支持部１２２は、燃焼発熱手段３００であるロウソクの熱によって、支持部１２２が変形しないように、平底部１２１と香皿部１１０とを繋いでロウソクの火から離れるように支持部１２２が楕円弧状に形成されている。
【００５８】
また、支持部１２２の上端には、香皿部１１０が固定されており、香皿部１１０の半球面の底部が、燃焼発熱手段３００であるロウソクの火の先端と同軸上になる位置に設けられている。
【００５９】
さらに、香皿部１１０は、香皿支持部１２０によって、燃焼発熱手段３００であるロウソクの火が発した熱によって香材２００が放香に必要な熱量を与えられる高さ、かつ燃焼発熱手段３００であるロウソクの火が発した熱によって香材２００が発火しない高さに調節される。
【００６０】
また、上述の実施形態に関し、更に以下の付記を開示する。
（付記１）
練香または香木である香材を加熱して放香させる香炉において、
前記香材が載置される香皿部と、
前記香皿部の下側に載置されて前記香皿部に熱を与える燃焼発熱手段と、前記香皿部との距離を、前記香材が発火することなく放香でき温度が前記燃焼発熱手段から伝わる距離である放香距離で前記香皿部を支持する香皿支持部と、
を備えることを特徴とする香炉。
（付記２）
前記燃焼発熱手段は、
着火されたロウソクであること、
を特徴とする付記１記載の香炉。
（付記３）
前記香皿部および前記香皿支持部の材質は鉄であって、
前記放香距離は、
前記ロウソクの炎の先端から、前記香皿部の底部との距離が、７センチメートルであること、
を特徴とする付記１記載の香炉。
（付記４）
前記ロウソクが燃えて短くなった距離だけ、前記ロウソクを上昇させるロウソク上昇手段、
を備えることを特徴とする付記１記載の香炉。
（付記５）
前記香皿部は、
上側が開口された半球体であること、
を特徴とする付記１記載の香炉。
（付記６）
前記香皿部は、
前記香材を前記香皿部の底部に固定するための香材固定手段、
を備えることを特徴とする付記５記載の香炉。
（付記７）
前記香材固定手段は、
前記香皿部の底部から放射状に設けられた突起体であること、
を特徴とする付記６記載の香炉。
（付記８）
前記香皿支持部は、
前記香皿部の高さを自在に調節できる柔軟性と、前記香皿部を一定の高さに保つことができる剛性を備えた針金で形成されること、
を特徴とする付記１記載の香炉。
（付記９）
練香または香木である香材を加熱して放香させる放香方法において、
前記香材が香皿部に載置される工程と、
前記香皿部の下側に載置されて前記香皿部に熱を与える燃焼発熱手段と、前記香皿部との距離を、前記香材が発火することなく放香でき温度が前記燃焼発熱手段から伝わる距離である放香距離で香皿支持部が前記香皿部を支持する工程と、
を備えることを特徴とする放香方法。
（付記１０）
練香または香木である香材を加熱して放香させる香炉の製造方法において、
前記香材が載置される香皿部を形成する工程と、
前記香皿部の下側に載置されて前記香皿部に熱を与える燃焼発熱手段と、前記香皿部との距離を、前記香材が発火することなく放香でき温度が前記燃焼発熱手段から伝わる距離である放香距離で前記香皿部を支持する香皿支持部を形成する工程と、
を備えることを特徴とする香炉の製造方法。
【符号の説明】
【００６１】
１００  香炉
１１０  香皿部
１１１  碗状部
１１２  香材固定手段
１２０  香皿支持部
１２１  平底部
１２２  支持部
２００  香材
３００  燃焼発熱手段
【図１】
0003229161.tif 000003
【図２】
0003229161.tif 000004
【図３】
0003229161.tif 000005